(57)【要約】【課題】  電源ケーブルをプロジェクタ本体内部に収容することにより、携帯性と利便性を向上させたプロジェクタを提供する。【解決手段】  プロジェクタ１の本体内部で発生する熱をプロジェクタ１の本体外部に排気すると共に、プロジェクタ１の外装となる筐体１０を構成し開放及び閉塞可能な開閉蓋１００を有する排気ダクト１５０と、プロジェクタ１に接続し固定され、プロジェクタ１に電力を供給する電源ケーブル２０とを有し、電源ケーブル２０は、開閉蓋１００を開放して排気ダクト１５０の内部に収容される。【選択図】      図２
2006195319.tif 000002
【特許請求の範囲】
【請求項１】
映像を投写するプロジェクタであって、
前記プロジェクタの本体内部で発生する熱を前記プロジェクタの本体外部に排気すると共に、前記プロジェクタの外装となる筐体を構成し開放及び閉塞可能な開閉蓋を有する排気ダクトと、
前記プロジェクタに接続し固定され、前記プロジェクタに電力を供給する電源ケーブルとを有し、
前記電源ケーブルは、前記開閉蓋を開放して前記排気ダクトの内部に収容されることを特徴とするプロジェクタ。
【請求項２】
請求項１に記載のプロジェクタであって、
前記開閉蓋の開放及び閉塞の開閉情報を検出する蓋開閉検出部と、
前記蓋開閉検出部で検出した開閉情報に基づいて、前記開閉蓋が開放であるか閉塞であるかを判断する開閉判断部と、
前記開閉判断部の判断結果に基づいて、前記プロジェクタに映像を投写するための操作及び電力の供給を制御する電力操作制御部とを有することを特徴とするプロジェクタ。
【請求項３】
請求項２に記載のプロジェクタであって、
前記蓋開閉検出部で検出した開閉情報に基づいて、前記開閉判断部が、閉塞であると判断した場合、前記電力操作制御部は、映像を投写するための操作及び電力の供給を開始させるための制御を行うことを特徴とするプロジェクタ。
【請求項４】
請求項２に記載のプロジェクタであって、
前記蓋開閉検出部で検出した開閉情報に基づいて、前記開閉判断部が、開放であると判断した場合、前記電力操作制御部は、映像を投写するための操作及び電力の供給を停止させるための制御を行うことを特徴とするプロジェクタ。
【請求項５】
請求項１〜請求項４のいずれか一項に記載のプロジェクタであって、
前記開閉蓋は、前記筐体に対して、摺動自在に設置されることを特徴とするプロジェクタ。
【請求項６】
請求項１〜請求項４のいずれか一項に記載のプロジェクタであって、
前記開閉蓋は、前記筐体に対して、回動自在に連結される部位を有し、開閉自在に設置されることを特徴とするプロジェクタ。
【請求項７】
請求項１〜請求項４のいずれか一項に記載のプロジェクタであって、
前記開閉蓋は、前記筐体に対して、着脱自在に設置されることを特徴とするプロジェクタ。
【請求項８】
請求項６または請求項７に記載のプロジェクタであって、
前記開閉蓋は、前記排気ダクトの内部に収容する前記電源ケーブルを押圧する突起部を有していることを特徴とするプロジェクタ。
【請求項９】
請求項６または請求項７に記載のプロジェクタであって、
前記開閉蓋は、当該開閉蓋の内面側を流れる排気を整流する突起部を有していることを特徴とするプロジェクタ。
【発明の詳細な説明】
【技術分野】
【０００１】
本発明は、プロジェクタに電力を供給する電源ケーブルに関する。
【背景技術】
【０００２】
従来、プロジェクタに電力を供給する電源ケーブルは、プロジェクタの本体とは別体であり、プロジェクタの使用時には、プロジェクタ本体に設置されるインレットに電源ケーブルを接続している。また、プロジェクタは、小型化・高機能化が進み、プロジェクタを携帯して使用し、また、無線ＬＡＮやメモリーカードなどを使用することで、電源ケーブル以外の接続ケーブルがなくても使用することが可能となっている。プロジェクタ本体における、電源ケーブルと投写レンズの配置及び保護に関しては、特許文献１に記載されるものもある。
【０００３】
【特許文献１】特開２００２−３４４８４８号公報
【発明の開示】
【発明が解決しようとする課題】
【０００４】
しかしながら、プロジェクタが小型化・高機能化されても、携帯して使用する場合には、プロジェクタ本体とは別に最低限電源ケーブルを持ち運ぶ必要があり、利便性の面で課題がある。
【０００５】
本発明は、上記課題に鑑みてなされたものであり、電源ケーブルをプロジェクタ本体内部に収容することにより、携帯性と利便性を向上させたプロジェクタを提供することを目的とする。
【課題を解決するための手段】
【０００６】
上述した目的を達成するために、本発明は、映像を投写するプロジェクタであって、プロジェクタの本体内部で発生する熱をプロジェクタの本体外部に排気すると共に、プロジェクタの外装となる筐体を構成し開放及び閉塞可能な開閉蓋を有する排気ダクトと、プロジェクタに接続し固定され、プロジェクタに電力を供給する電源ケーブルとを有し、電源ケーブルは、開閉蓋を開放して排気ダクトの内部に収容されることを特徴とする。
【０００７】
このようなプロジェクタによれば、電源ケーブルは、プロジェクタに接続し固定され、開閉蓋を開放（開閉蓋を開けること）して、排気ダクトの内部に収容される。それにより、携帯時には、排気ダクト内部に電源ケーブルを収容してプロジェクタを持ち運ぶことが可能となる。従って、従来のように、電源ケーブルをプロジェクタとは別に持ち運ぶ必要がなくなり、プロジェクタの携帯性及び利便性を向上することができる。また、排気ダクトの内部の空間に電源ケーブルを収容することにより、電源ケーブルを収容する領域を、新たにプロジェクタの内部に確保する必要がなく、プロジェクタの現状の大きさを維持することで実現できる。
【０００８】
上記プロジェクタにおいて、開閉蓋の開放及び閉塞の開閉情報を検出する蓋開閉検出部と、蓋開閉検出部で検出した開閉情報に基づいて、開閉蓋が開放であるか閉塞であるかを判断する開閉判断部と、開閉判断部の判断結果に基づいて、プロジェクタに映像を投写するための操作及び電力の供給を制御する電力操作制御部とを有することが好ましい。
【０００９】
このようなプロジェクタによれば、開閉蓋が開放である場合と、閉塞である場合とで、プロジェクタに映像を投写するための操作及び電力の供給を制御する。それにより、排気ダクトの内部に収容した電源ケーブルの排気ダクトからの排出の確認が行える。また、開閉蓋に排気ダクトを構成する部品としての働きを行わせることができると共に、プロジェクタの安全性を確保することができる。
【００１０】
上記プロジェクタにおいて、蓋開閉検出部で検出した開閉情報に基づいて、開閉判断部が、閉塞であると判断した場合、電力操作制御部は、映像を投写するための操作及び電力の供給を開始させるための制御を行うことが好ましい。
【００１１】
このようなプロジェクタによれば、開閉蓋が閉塞（開閉蓋を閉めること）である場合に、電力操作制御部は、映像を投写するための操作及び電力の供給を開始させるための制御を行う。これにより、排気ダクトの内部に収容される電源ケーブルが完全に排出されない場合や、開閉蓋が完全に閉塞されずに排気が開閉蓋から漏れる状態で、プロジェクタを操作し動作させて投写させた場合に起こり得る排気熱による電源ケーブルの加熱、及び、排気不良によるプロジェクタの誤動作などを防止することができ、プロジェクタの安全性を確保することができる。
【００１２】
上記プロジェクタにおいて、蓋開閉検出部で検出した開閉情報に基づいて、開閉判断部が、開放であると判断した場合、電力操作制御部は、映像を投写するための操作及び電力の供給を停止させるための制御を行うことが好ましい。
【００１３】
このようなプロジェクタによれば、開閉蓋が開放である場合に、電力操作制御部は、映像を投写するための操作及び電力の供給を停止させるための制御を行う。これにより、開閉蓋が開放状態になっても、プロジェクタが映像を投写し続ける場合に起こり得る排気不良によるプロジェクタの誤動作などを防止することができるため、プロジェクタの安全性を確保することができる。
【００１４】
上記プロジェクタにおいて、開閉蓋は、筐体に対して、摺動自在に設置されること、または、回動自在に連結される部位を有し、開閉自在に設置されること、または、着脱自在に設置されることが好ましい。
【００１５】
このようなプロジェクタによれば、開閉蓋は、摺動自在、開閉自在または着脱自在に設置される。従って、プロジェクタの形状や排気ダクトの構成などにより、適宜、開閉蓋の構造を選択することが可能となり、プロジェクタにおける開閉蓋の設計の自由度を向上できる。
【００１６】
上記プロジェクタにおいて、開閉蓋は、排気ダクトの内部に収容する電源ケーブルを押圧する突起部を有していることが好ましい。
【００１７】
このようなプロジェクタによれば、開閉蓋は、電源ケーブルを排気ダクトの内部に収容した場合、突起部により、電源ケーブルを押圧するため、排気ダクトの内部において電源ケーブルのガタツキを防止することができる。それにより、プロジェクタの保管・携帯・移動・運搬などを安定して行うことができる。
【００１８】
上記プロジェクタにおいて、開閉蓋は、開閉蓋の内面側を流れる排気を整流する突起部を有していることが好ましい。
【００１９】
このようなプロジェクタによれば、開閉蓋は、突起部により、開閉蓋の内面側を流れる排気を整流するため、開閉蓋を設置した場合に発生し易くなる排気の乱流発生を防止することができ、排気効率を向上させることができる。
【発明を実施するための最良の形態】
【００２０】
以下、本発明の実施形態を図面に基づいて説明する。
（第１実施形態）
【００２１】
図１は、本発明の第１実施形態に係るプロジェクタの概略斜視図であり、図１（ａ）は、プロジェクタの使用可能状態での概略斜視図であり、図１（ｂ）は、プロジェクタの未使用状態での概略斜視図である。図１を用いて、プロジェクタの外観の構成を説明する。
【００２２】
プロジェクタ１の外観面である全６面に対して、構成の説明のため、上面部１ａ、前面部１ｂ、左側面部１ｃ、右側面部１ｄ、背面部１ｅ、底面部１ｆとして示す。
【００２３】
図１に示すように、プロジェクタ１の外装は、略直方体形状の筐体１０を有して構成される。また、筐体１０は、上ケース１１と、下ケース１２と、前ケース１３とを有して構成される。上ケース１１は、上面部１ａ、及び、左側面部１ｃと右側面部１ｄと背面部１ｅとの一部を構成する。下ケース１２は、底面部１ｆ、及び、左側面部１ｃと右側面部１ｄと背面部１ｅとの一部を構成する。前ケース１３は、前面部１ｂを構成する。
【００２４】
上面部１ａには、プロジェクタ１の動作を操作する操作部３０や、スピーカ用の報音孔３１や、光源２１０であるランプ２１１（図２参照）の異常などを知らせるＬＥＤ（Light Emitting Diode）３２などが設置されている。前面部１ｂには、映像を拡大投写する投写レンズ２８１や、プロジェクタ１の本体内部の発生する熱（特にランプ２１１の発生する熱）を排気する排気部１７０や、リモートコントローラ（以降、リモコンと称す）８００（図３参照）からの信号を受信するリモコン受光部３３などが設置されている。
【００２５】
左側面部１ｃには、プロジェクタ１に電力を供給する電源ケーブル２０が、プロジェクタ１の内部の電源部３３０（図２参照）に接続されて、筐体１０から外部に延びて設置されている。また、電源ケーブル２０の横には、摺動自在の開閉蓋１００が設置されている。
【００２６】
右側面部１ｄには、プロジェクタ１を持ち運びするための取手（図示省略）が設けられている。背面部１ｅには、ランプ２１１を冷却する外気を取り込むための吸気口３４（図２参照）や、外部からの入力信号を取り込むための接続用のインターフェースである画像入力端子３４５（図３参照）などが設けられている。また、前面部１ｂと同様にリモコン８００からの信号を受信するリモコン受光部（図示省略）が設置されている。底面部１ｆには、プロジェクタ１を固定する、高さ調整可能な足と固定足（いずれも図示省略）の２種類の足などが設置されている。
【００２７】
図１（ａ）に示すのは、電源ケーブル２０が収容される排気ダクト１５０の内部から排出され、開閉蓋１００を閉塞した状態を示す斜視図であり、この状態は、電源ケーブル２０の有するプラグ２１を、プロジェクタ１が設置されるフロアなどに用意されている商用電源供給口（いわゆるコンセント）に接続することにより、プロジェクタ１を使用する場合の状態（使用可能状態）である。詳細は後述する。
【００２８】
図１（ｂ）に示すのは、開閉蓋１００を開放し、排気ダクト１５０の内部の空間に電源ケーブル２０を収納し、開閉蓋１００を閉塞した状態を示す斜視図であり、この状態は、プロジェクタ１を使用しない場合の状態（未使用状態）であり、プロジェクタ１の保管・携帯・移動・運搬などを行う場合の状態である。詳細は後述する。
【００２９】
図２は、プロジェクタの概略平断面図であり、図２（ａ）は、使用可能状態での概略平断面図であり、図２（ｂ）は、未使用状態での概略平断面図であり、図２（ｃ）は、図２（ｂ）におけるＡ−Ａ断面図である。図２を用いて、プロジェクタ１の内部構成及び動作を説明する。
【００３０】
図２（ａ）に示すように、プロジェクタ１は、映像を投写するための光学系部分を構成する光学エンジンユニット２００と、電源系部分を構成する電源部３３０と、電気回路系を構成する回路ブロック４００と、光源２１０で発生する熱を排気する排気系を構成する排気ダクト１５０とを有して構成される。
【００３１】
光学エンジンユニット２００の構成と動作を簡単に説明する。
光学エンジンユニット２００は、光学系部分を構成する部品を光学エンジンケース２０１に形成した所定の場所に収容してユニット化したものである。光学エンジンユニット２００は、光源２１０と、光学変換部２２０と、投写光学系２８０とから構成される。また、光源２１０は、ランプ２１１で構成され、投写光学系２８０は、投写レンズ２８１で構成される。光学変換部２２０は、照明光学系と、色分離光学系と、色変調光学系と、色合成光学系との部分から構成される。
【００３２】
照明光学系は、レンズアレイ２２１，２２２、偏光変換素子２２３、重畳レンズ２２４、反射ミラー２２５，２２６，２２７，２２８、リレーレンズ２２９、フィールドレンズ２３０（赤色用），２３１（緑色用），２３２（青色用）を有して構成される。色分離光学系は、ダイクロイックミラー２４０，２４１から構成される。
【００３３】
色変調光学系は、液晶ライトバルブ２５０で構成される。そして、液晶ライトバルブ２５０は、液晶ライトバルブ２５０Ｒ（赤色用）、２５０Ｇ（緑色用）、２５０Ｂ（青色用）の３枚の液晶ライトバルブ２５０で構成される。
【００３４】
上記の構成により、光学系は、ランプ２１１から出射した出射光を偏光・色分離・変調・色合成などの光学的な変換を行う光学変換部２２０を介して、投写レンズ２８１によりスクリーン９００などに映像を拡大投写する動作を行う。
【００３５】
ここで、ランプ２１１から出射された出射光の動作を説明する。
ランプ２１１の発光による略平行な出射光は、概矩形状の小レンズがマトリクス状に配列構成されるレンズアレイ２２１に入射し、入射光を分割して、照明光軸方向に出射する。次のレンズアレイ２２２は、レンズアレイ２２１とほぼ同様の構成であり、重畳レンズ２２４と共にレンズアレイ２２１の各小レンズの像が液晶ライトバルブ２５０の表示面上に結像させる。
【００３６】
偏光変換素子２２３は、レンズアレイ２２２からの出射光を１種類の偏光光に変換する素子であり、光の利用率を向上するためのものである。
【００３７】
重畳レンズ２２４からの出射光は反射ミラー２２５により反射される。そして色分離光学系を構成するダイクロイックミラー２４０により、色分離が行われる。本実施形態では、ダイクロイックミラー２４０により、青色光成分は透過させ、それ以外の色光成分は反射させている。透過した青色光成分は反射ミラー２２６により反射し、フィールドレンズ２３２に入射し、液晶ライトバルブ２５０Ｂに達する。また、反射した青色光成分以外の色光成分はダイクロイックミラー２４１により再度、色分離が行われる。本実施形態では、ダイクロイックミラー２４１により、赤色光成分は透過させ、緑色光成分は反射させている。そして、反射した緑色光成分はフィールドレンズ２３１に入射して、液晶ライトバルブ２５０Ｇに達する。また、透過した赤色光成分は、リレーレンズ２２９、反射ミラー２２７、リレーレンズ２２９および反射ミラー２２８の順に透過および反射させ、フィールドレンズ２３０に入射し、液晶ライトバルブ２５０Ｒに達する。
【００３８】
ここで、赤色光成分の光路上の２つのリレーレンズ２２９は、赤色光の光路長が他の色光成分の光路長に対して長いため、光の発散などによる光の利用効率の低下を防止する働きを行う。また、ダイクロイックミラー２４０，２４１は、上述したように、ランプ２１１の出射光を赤色光（Ｒ）、緑色光（Ｇ）、青色光（Ｂ）の３色の色光に色分離する働きを行う。
【００３９】
各液晶ライトバルブ２５０に到達した光線は各液晶ライトバルブ２５０により変調され出射する。出射した各色光は、クロスダイクロイックプリズム２６０により、色合成が行われ、合成された出射光が投写レンズ２８１により、拡大投写される。
【００４０】
電源部３３０は、プロジェクタ１の光学エンジンユニット２００の図示右側に設置される。そして、電源ケーブル２０がインレットを介さずに直接接続されている。回路ブロック４００は、回路構成部品を回路基板に実装してユニット化したものであり、光学エンジンユニット２００の上面側に載置して固定される。
【００４１】
排気ダクト１５０は、光学エンジンユニット２００の図示左側に設置される。また、排気ダクト１５０は、１部品で構成されるものではなく、筐体１０の上ケース１１と、下ケース１２と、開閉蓋１００とで構成され、冷却ファン１６０と、排気部１７０とをそれぞれ排気ダクト１５０の入口側と出口側に備えている。
【００４２】
図２（ｂ）に示すのは、未使用状態でのプロジェクタ１の内部を示しており、この状態は、電源ケーブル２０が排気ダクト１５０の内部の空間に収容されている状態である。電源ケーブル２０の収容方法は、開閉蓋１００を開けて、電源ケーブル２０を幾重にも折り重ねるようにして排気ダクト１５０の内部の空間に挿入していき、最後はプラグ２１を挿入することにより収容できる。その後、開閉蓋１００を閉めることで、未使用状態となる。このような形態にすることで、プロジェクタ１の保管・携帯・移動・運搬などを行うことができる。
【００４３】
図２（ｃ）に示すのは、図２（ｂ）の未使用状態での排気ダクト１５０のＡ−Ａ断面を示している。
【００４４】
排気ダクト１５０の構成を詳細に説明する。
排気ダクト１５０は、上ケース１１の上面部と、下ケース１２の底面部と、上ケース１１及び下ケース１２から突出し、相互にかみ合う隔壁１１ａ及び隔壁１２ａと、上ケース１１の左側面部と下ケース１２の左側面部と、上ケース１１及び下ケース１２の左側面部に形成した溝部１１ｂ及び溝部１２ｂに狭持され溝部１１ｂ，１２ｂを摺動する開閉蓋１００とで囲まれる概略直方体の空間を形成することで構成される。
【００４５】
排気ダクト１５０の入口側となるランプ２１１側には、排気ダクト１５０を形成する下ケース１２の底面部と左側面部と隔壁１２ａと、上ケース１１の上面側と左側面部と隔壁１１ａとにより冷却ファン１６０を案内して固定する。また、排気ダクト１５０は、排気ダクト１５０の出口側となる前ケース１３に設置される排気部１７０を同様に案内している。排気部１７０には、ルーバー１７５が形成されており、排気を所定の角度方向に排気することができる。
【００４６】
排気ダクト１５０におけるランプ２１１の冷却動作に関して説明する。
図２（ａ）に示すように、プロジェクタ１を動作した場合、冷却ファン１６０が回転することにより、筐体１０の背面部にランプ２１１と相対する領域に設置される吸気口３４から、外気を吸気する。吸気された外気は、ランプ２１１の側面やランプ２１１の内面に流通して、熱が伝熱される。伝熱により熱を持った外気は、冷却ファン１６０により、排気ダクト１５０の内部に排気される。冷却ファン１６０により排気された熱を持った外気は、排気ダクト１５０内部を流通し、ルーバー１７５を介して、プロジェクタ１の外部に排気される。以上の動作を繰返すことにより、ランプ２１１で発生する熱を冷却することができる。図２（ａ）に図示する矢印が、外気の流通と流通方向を示している。
【００４７】
図３は、プロジェクタの電気的構成を示すブロック図である。図３を用いて、プロジェクタ１の電気的な構成及び動作を説明する。
【００４８】
プロジェクタ１は、制御部３００、信号変換部３４０、画像処理部３５０、液晶ライトバルブ駆動部３６０、蓋開閉検出部３２０、ランプ駆動部３８０、ファン駆動部３９０、リモコン制御部３７０及び電源部３３０などを有して構成される。また、制御部３００は、開閉判断部３１０、電力操作制御部３１５を有して構成される。制御部３００、信号変換部３４０、画像処理部３５０及びリモコン制御部３７０は、バス３００ａにより互いに接続されている。ここで、制御部３００が有する開閉判断部３１０および電力操作制御部３１５は、制御部３００に組み込まれる開閉判断部３１０及び電力操作制御部３１５の開閉判断及び電力操作制御を行うプログラムが実行されることで構成される。
【００４９】
信号変換部３４０に接続される画像入力端子３４５は、外部の画像信号供給装置（図示省略）から供給されるアナログ画像信号を受取る。なお、アナログ画像信号として、例えば、パーソナルコンピュータから出力されたコンピュータ画像を表すＲＧＢ信号や、ビデオレコーダやテレビジョン受像機から出力された動画を表すコンポジット画像信号などの画像信号が、画像入力端子３４５に供給される。信号変換部３４０は、画像入力端子３４５から入力したアナログ画像信号をＡＤ変換して、デジタル画像信号（画像データ）として画像処理部３５０に出力する。
【００５０】
画像処理部３５０は、入力した画像データに、フレームレート変換およびスケーリング処理などを行う。また、画像処理部３５０は、画像データにブライトネス調整、コントラスト調整、ガンマ補正処理などの各種の画像補正も併せて行う。このように加工された画像データは、投写用映像信号として液晶ライトバルブ駆動部３６０に出力される。
【００５１】
液晶ライトバルブ駆動部３６０は、画像処理部３５０から入力した投写用映像信号に基づき、液晶ライトバルブ２５０（２５０Ｒ，２５０Ｇ，２５０Ｂ）を駆動する。
【００５２】
ランプ駆動部３８０は、制御部３００の信号に基づいて、光源２１０であるランプ２１１に発光させるための電力を供給する。
【００５３】
ファン駆動部３９０は、制御部３００の信号に基づいて、冷却ファン１６０を回転させ、ランプ２１１の発生する熱を冷却する。
【００５４】
リモコン制御部３７０は、リモコン８００から入力された操作信号に基づいてプロジェクタ１の各部の機能を制御する信号を出力する。
【００５５】
蓋開閉検出部３２０は、本実施形態では、検出センサとして、マイクロスイッチ３２１（図４参照）を用いて構成され、開閉蓋１００の開放及び閉塞の開閉情報を制御部３００に出力する。詳細は後述する。
【００５６】
制御部３００は、プロジェクタ１の全体の制御を行う。また、蓋開閉検出部３２０からの開閉情報を受け、開閉蓋１００が、開放であるか閉塞であるかを判断する開閉判断部３１０としてのプログラムを実行し、その結果に基づいてプロジェクタ１に映像を投写するための操作及び電力の供給を制御する電力操作制御部３１５としてのプログラムを実行する。
【００５７】
電源部３３０は、プロジェクタ１を動作するための電力を供給する。また、電力操作制御部３１５からの信号により、光源２１０への電力供給の開始及び停止の動作を行う。
【００５８】
本実施形態における蓋開閉検出部３２０と、開閉判断部３１０と、電力操作制御部３１５との動作を詳細に説明する。蓋開閉検出部３２０の設置位置及び開閉蓋１００の構造に関しては、図４以降に説明する。
【００５９】
開閉蓋１００が閉塞した場合、蓋開閉検出部３２０であるマイクロスイッチ３２１は、「ＯＮ」される。その信号が、制御部３００の構成する開閉判断部３１０に入力する。開閉判断部３１０により、開閉蓋１００が閉塞したと判断されると、その信号が電力操作制御部３１５に出力される。電力操作制御部３１５は、開閉判断部３１０からの信号に基づき、ランプ２１１を点灯させるための操作部３０での操作を受付ける状態となるよう処理を行う。これにより、電力操作制御部３１５は、操作部３０でランプ２１１を点灯させるための操作入力が行われると、その信号に基づいて、電源部３３０にランプ２１１を点灯させるための電力の供給を開始させるための信号を出力する。
【００６０】
開閉蓋１００が開放した場合、蓋開閉検出部３２０であるマイクロスイッチ３２１は、「ＯＦＦ」される。その信号が、制御部３００の構成する開閉判断部３１０に入力する。開閉判断部３１０により、開閉蓋１００が開放したと判断されると、その信号が電力操作制御部３１５に出力される。電力操作制御部３１５は、開閉判断部３１０からの信号に基づき、ランプ２１１を点灯させるための操作部３０での操作を受付けない状態となるよう処理を行う。また、電力操作制御部３１５は、電源部３３０にランプ２１１を点灯させるための電力の供給を停止させるための信号を出力する。これにより、操作部３０でランプ２１１を点灯させるための操作入力が行われても、電力操作制御部３１５は、その信号を受付けず、また、ランプ２１１を点灯させるための電力を供給する信号も出力しない。
【００６１】
以上の動作により、ユーザは、電源ケーブル２０を排気ダクト１５０から排出して、コンセントにプラグ２１を接続した場合、開閉蓋１００を閉塞した場合には、ランプ２１１を点灯させるための操作信号により、ランプ２１１の点灯を開始させることができる。また、開閉蓋１００が開放している場合には、ランプ２１１を点灯させるための操作を行っても、ランプ２１１の点灯を開始させることはできない。また、プロジェクタ１を使用中に誤って開閉蓋１００を開放した場合、ランプ２１１の点灯は中止される。
【００６２】
図４は、プロジェクタに摺動自在に設置された開閉蓋を示す図であり、図４（ａ）は、開閉蓋が開放された状態を示す斜視図であり、図４（ｂ）は、開閉蓋が閉塞された状態を示す側面図である。図４を用いて、開閉蓋１００の構成及び動作を説明する。
【００６３】
開閉蓋１００は、略長方形を成し、先端側には、引掛け止めを行うための引掛け部１２０が、爪１２１を有して形成されている。また、マイクロスイッチ３２１を動作させるための押圧部１３０が先端側に突出して形成されている。また、開閉蓋１００を、筐体１０に形成した溝部１１ｂ，１２ｂ（図２（ｃ）を参照）に狭持されて摺動すための摺動部１１０ａ，１１０ｂが溝部１１ｂ，１２ｂの断面形状に合わせて開閉蓋１００の上面側及び底面側の縁部を突出させて形成されている。また、電源ケーブル２０を排気ダクト１５０の内部に収容する場合に電源ケーブル２０の逃げ溝となる切欠部１４０を、電源ケーブル２０のケーブル径に合わせて、開閉蓋１００の先端部に略円形状に形成している。また、ユーザが、開閉蓋１００を摺動する際に把持するための把持部１４５が、開閉蓋１００の側面に平面形状楕円の凹凸形状を有して形成されている。
【００６４】
筐体１０を構成する上ケース１１及び下ケース１２には、それぞれ開口１１ｃ，１２ｃが形成されて電源ケーブル２０を収容する際の入り口となる開口部１５を構成している。また、図２（ｃ）で示すように、開閉蓋１００を摺動するための案内溝となる溝部１１ｂ，１２ｂが形成されている。また、上ケース１１の内面部には、マイクロスイッチ３２１が配設されている。そして、下ケース１２の内面側には、開閉蓋１００に形成した引掛け部１２０の爪１２１を引掛けて開閉蓋１００を固定する被引掛け部１２ｄが形成されている。ここで、マイクロスイッチ３２１は、本体３２１ａと、円柱形状の可動軸３２１ｂとを有しており、可動軸３２１ｂが本体３２１ａに対して可動することにより「ＯＮ」または「ＯＦＦ」信号を出力する。
【００６５】
上記構成により、開閉蓋１００は、筐体１０に対して摺動することが可能となる。
開閉蓋１００を開放し、電源ケーブル２０を収容し、開閉蓋１００を閉塞するまでの動作を説明する。
最初に、把持部１４５を把持して、開放する方向にある程度の力を加えて開閉蓋１００を摺動させる。それにより、引掛け部１２０の爪１２１が、被引掛け部１２ｄから外れて、開閉蓋１００が開放する。そして、開口部１５から、排気ダクト１５０の内部に電源ケーブル２０を収納する。次に、電源ケーブル２０のケーブルを切欠部１４０に合わせてセットし、把持部１４５を把持して、開閉蓋１００を閉塞する方向に力を加えて、開閉蓋１００を摺動させる。それにより、引掛け部１２０の爪１２１が、被引掛け部１２ｄに引っ掛かり、係り止めされて、開閉蓋１００が閉塞する。なお、電源ケーブル２０を排気ダクト１５０の内部から排出する場合は、開閉蓋１００を同様に摺動させて開放し、電源ケーブル２０を排出した後、同様に摺動させて閉塞する。
【００６６】
開閉蓋１００を閉塞する場合、図４（ｂ）に示すように、引掛け部１２０の爪１２１が被引掛け部１２ｄに引っ掛かり、係り止めされることで、開閉蓋１００は、筐体１０に固定される。同時に、押圧部１３０の先端１３１が、マイクロスイッチ３２１の可動軸３２１ｂの先端を押圧し、本体３２１ａ内部に移動量Ａだけ押し込む。これにより、マイクロスイッチ３２１は、「ＯＦＦ」から「ＯＮ」に変化し、「ＯＮ」信号を出力する。開閉蓋１００が開放した場合、マイクロスイッチ３２１は、「ＯＮ」から「ＯＦＦ」に変化し、「ＯＦＦ」信号を出力する。
【００６７】
なお、開閉蓋１００は、閉塞することにより、排気ダクト１５０としての機能を果たす。詳細には、開閉蓋１００が閉塞し、開口部１５を塞ぐことにより、ランプ２１１から伝熱された熱を持った外気（排気）が、開口部１５から漏れることなく、排気ダクト１５０内部を流通し、排気部１７０からプロジェクタ１の外部に排気することができる。
【００６８】
上述した、第１実施形態によれば以下の効果が得られる。
（１）本実施形態によれば、摺動自在な開閉蓋１００を有する排気ダクト１５０の内部に電源ケーブル２０を収容して、プロジェクタ１を持ち運ぶことが可能となる。従って、従来のように、電源ケーブルをプロジェクタとは別に持ち運ぶ必要がなくなり、また、排気ダクト１５０の内部の空間に電源ケーブル２０を収容するため、電源ケーブル２０を収容する領域を、新たにプロジェクタ１の内部に確保する必要がなく、プロジェクタの現状の大きさを維持することで実現できるため、プロジェクタの携帯性及び利便性を向上することができる。
【００６９】
（２）本実施形態によれば、蓋開閉検出部３２０と、開閉判断部３１０と、電力操作制御部３１５とを有しているため、開閉蓋１００が開放である場合と、閉塞である場合とで、プロジェクタ１に映像を投写するための操作及び電力の供給を制御する。これにより、排気ダクト１５０の内部に収容した電源ケーブル２０の排気ダクト１５０からの排出の確認が行える。また、開閉蓋１００に排気ダクト１５０を構成する部品としての働きを行わせることができると共に、プロジェクタ１の安全性を確保することができる。
【００７０】
具体的には、開閉蓋１００が閉塞である場合、電力操作制御部３１５は、映像を投写するための操作及び電力の供給を開始させるための制御を行う。また、開閉蓋１００が開放である場合、電力操作制御部３１５は、映像を投写するための操作及び電力の供給を停止させるための制御を行う。これにより、排気ダクト１５０の内部に収容される電源ケーブル２０が完全に排出されない場合や、開閉蓋１００が完全に閉塞されずに排気が開閉蓋１００から漏れる状態のときに、プロジェクタ１を操作し動作させて投写させた場合に起こり得る排気熱による電源ケーブル２０の加熱、及び、排気不良によるプロジェクタ１の誤動作などを防止することができる。また、開閉蓋１００が開放になっても、プロジェクタ１が映像を投写し続ける場合に起こり得る排気不良によるプロジェクタ１の誤動作などを防止することができる。
【００７１】
（第２実施形態）
次に、本発明の第２実施形態を図面に基づいて説明する。
【００７２】
図５は、本発明の第２実施形態に係るプロジェクタに、回動自在に連結される部位を有し、開閉自在に設置された開閉蓋を示す断面図であり、図５（ａ）は、開閉蓋が閉塞された状態を示す図であり、図５（ｂ）は、開閉蓋が開放された状態を示す図であり、図５（ｃ）は、開閉蓋が閉塞された状態での蓋開閉検出部を示す断面図である。図５を用いて、開閉蓋５００の構成及び動作を説明する。なお、第１実施形態と同様の構成部分には、第１実施形態と同様の記号を付記している。
【００７３】
図５（ａ）、（ｂ）に示すように、開閉蓋５００は、開閉蓋１００と同様に略長方形を成し、一方の端は、筐体１０（上ケース１１及び下ケース１２）の内面側に形成する凹部１６の位置で、回動軸５１１を中心に、回動自在に連結する部位となる回動部５１０を形成している。また、他方の端には、断面略Ｕ字状の係り止め部５２０が爪５２１と把持部５２２とを有して開閉蓋５００の端面の中央部に１箇所形成されている。また、開閉蓋５００の内面側には、開閉蓋５００から突出する突起部５３０が形成されている。また、図示はしないが、開閉蓋１００と同様に、電源ケーブル２０を排気ダクト１５０の内部に収容する場合に電源ケーブル２０の逃げ溝となる切欠部を、電源ケーブル２０のケーブル径に合わせて、開閉蓋５００の端面に略円形状に形成している。また、図５（ｃ）に示すように、開閉蓋５００は、マイクロスイッチ３２２を動作させるための押圧部５４０が突出して形成されている。
【００７４】
筐体１０を構成する上ケース１１及び下ケース１２には、それぞれ開閉蓋５００の回動部５１０、係り止め部５２０及び突起部５３０と緩衝することなく形成した凹部１６，１７，１８が形成され、それぞれが、電源ケーブル２０を収容する際の入り口となる開口部１９を構成している。また、開口部１９となる先端部には、開閉蓋５００を閉塞した場合に、開口部１９の先端部と開閉蓋５００との隙間の発生による排気の漏れを防止するための、緩衝部材７００が付着されている。また、凹部１８には、押圧部５４０と対向する位置にマイクロスイッチ３２２が設置されている。マイクロスイッチ３２２は、第１実施形態と同様に、本体３２２ａと、円柱形状の可動軸３２２ｂとを有しており、可動軸３２２ｂが本体３２２ａに対して可動することにより「ＯＮ」または「ＯＦＦ」信号を出力する。
【００７５】
上記構成により、開閉蓋５００は、筐体１０に対して、回動軸５１１を中心に、回動自在に連結され、開放及び閉塞することが可能となる。
開閉蓋５００を開放し、電源ケーブル２０を収容し、開閉蓋５００を閉塞するまでの動作を説明する。
最初に、係り止め部５２０に形成する把持部５２２を把持して、矢印で図示する方向に移動することにより、係り止め部５２０がゆがみ、爪５２１が、凹部１７の相対する位置からはずれることにより、開閉蓋５００を開放する。そして、開口部１９から、排気ダクト１５０の内部に電源ケーブル２０を収納する。次に、電源ケーブル２０のケーブルを切欠部に合わせてセットし、開閉蓋５００を回動軸５１１を中心に回動させ、係り止め部５２０の爪５２１が、凹部１７の相対する表面に位置したとき、開閉蓋５００を閉塞する方向に力を加えることにより、係り止め部５２０がゆがみ、爪５２１が、凹部１７の相対する内面に位置して係り止めされる。これにより、開閉蓋５００が閉塞し、筐体１０に固定される。このとき、開閉蓋５００の内面部が、開口部１９に付着させている緩衝部材７００を押圧した状態で固定される。緩衝部材７００として、本実施形態では、ゴム系のクッション材を使用している。なお、電源ケーブル２０を排気ダクト１５０の内部から排出する場合は、開閉蓋５００を同様に開放し、電源ケーブル２０を排出した後、同様に閉塞する。
【００７６】
開閉蓋５００を閉塞する場合、図５（ｃ）に示すように、係り止め部５２０の爪５２１により、筐体１０に係り止めされることで、開閉蓋５００は、筐体１０に固定される。同時に、押圧部５４０の先端５４１が、マイクロスイッチ３２２の可動軸３２２ｂの先端を押圧し、本体３２２ａ内部に移動量Ｂだけ押し込む。これにより、マイクロスイッチ３２２は、「ＯＦＦ」から「ＯＮ」に変化し、「ＯＮ」信号を出力する。開閉蓋５００が開放した場合、マイクロスイッチ３２２は、「ＯＮ」から「ＯＦＦ」に変化し、「ＯＦＦ」信号を出力する。
【００７７】
なお、開閉蓋５００は、閉塞することにより、排気ダクト１５０としての機能を果たす。詳細には、開閉蓋５００が閉塞し、開口部１９の緩衝部材７００を押圧して塞ぐことにより、ランプ２１１から伝熱された熱を持った外気（排気）が、開口部１９から漏れることなく、排気ダクト１５０内部を流通し、排気部１７０からプロジェクタ１の外部に排気することができる。
【００７８】
また、開閉蓋５００の内面側に形成した突起部５３０により、電源ケーブル２０を排気ダクト１５０の内部に収容して、開閉蓋５００を閉塞した場合には、突起部５３０が、収容した電源ケーブル２０を押圧する。それにより、電源ケーブル２０は、排気ダクト１５０を構成する上ケース１１の隔壁１１ａ及び下ケース１２の隔壁１２ａと、突起部５３０とに挟まれ、排気ダクト１５０の内部でガタツキがなくなる。
【００７９】
また、開閉蓋５００の内面側に形成した突起部５３０が、開口部１９を構成する凹部１６，１７，１８の排気ダクト１５０内部への張り出し量と同程度の量を突出させて形成されているため、開閉蓋５００の内面側周辺部の凹凸を極力無くすことで、排気ダクト１５０を流通する外気の乱流の発生を防止し、図５（ａ）に矢印（二点鎖線）で図示すように、整流となるようにしている。
【００８０】
上述した、第２実施形態によれば、第１実施形態での効果（１）、（２）が同様に得られる他、以下の効果が得られる。
（１）第２実施形態によれば、開閉蓋５００に突起部５３０を形成したことにより、排気ダクト１５０の内部に電源ケーブル２０を収容した場合、電源ケーブル２０が突起部５３０により押圧されることで、排気ダクト１５０の内部での電源ケーブル２０のガタツキを防止することができる。それにより、プロジェクタ１の保管・携帯・移動・運搬などを安定して行うことができる。
【００８１】
（２）第２実施形態によれば、開閉蓋５００に突起部５３０を形成したことにより、開閉蓋５００の内面側を流れる外気（排気）を整流するため、開閉蓋５００を設置した場合に発生し易くなる排気の乱流発生を防止することができ、排気効率を向上させることができる。
【００８２】
（第３実施形態）
次に、本発明の第３実施形態を図面に基づいて説明する。
【００８３】
図６は、本発明の第３実施形態に係るプロジェクタに、着脱自在に設置された開閉蓋を示す図であり、図６（ａ）は、開閉蓋が閉塞された状態を示す断面図であり、図６（ｂ）は、開閉蓋が開放された状態を示す斜視図であり、図６（ｃ）は、開閉蓋が閉塞された状態での蓋開閉検出部を示す断面図である。図６を用いて、開閉蓋６００の構成及び動作を説明する。なお、第１実施形態と同様の構成部分には、第１実施形態と同様の記号を付記している。
【００８４】
図６（ａ）、（ｂ）に示すように、開閉蓋６００は、開閉蓋１００と同様に、略長方形を成し、長手方向両端側には、引掛け止めを行うための引掛け部６１０，６１１が爪６１０ａ，６１１ａを有して形成されている。また、開閉蓋６００の４辺中央部には、開閉蓋６００を着脱する場合に把持する把持部６２０を形成している。把持部６２０は、ドーム形状をカットした形状を有している。また、開閉蓋６００の内面側には、開閉蓋６００から突出する突起部６３０が形成されている。また、マイクロスイッチ３２３を動作させるための押圧部６４０が突出して形成されている。また、開閉蓋１００と同様に、切欠部６５０を形成している。
【００８５】
筐体１０を構成する上ケース１１及び下ケース１２には、それぞれ開口４１，４２が形成されて電源ケーブル２０を収容する際の入り口となる開口部４０を構成している。また、引掛け部６１０，６１１に対応する筐体１０の内面側には、引掛け部６１０，６１１の爪６１０ａ，６１１ａを引掛けるための被引掛け部４３，４４が形成される。また、マイクロスイッチ３２３を設置するための受部４５が、上ケース１１に形成されている。ここで、マイクロスイッチ３２３は、本体３２３ａと、円柱形状の可動軸３２３ｂとを有しており、可動軸３２３ｂが本体３２３ａに対して可動することにより「ＯＮ」または「ＯＦＦ」信号を出力する。
【００８６】
上記構成により、開閉蓋６００は、筐体１０に対して着脱自在となる。
開閉蓋６００を開放し、電源ケーブル２０を収容し、開閉蓋６００を閉塞するまでの動作を説明する。
最初に、開閉蓋６００の４辺に形成した、いずれかの把持部６２０を把持して、プロジェクタ１の外部方向に引っ張る。それにより、開閉蓋６００の引掛け部６１０，６１１の爪６１０ａ，６１１ａが、被引掛け部４３，４４から外れて、開閉蓋６００がプロジェクタ１から外れる（開放する）。そして、開口部４０から、排気ダクト１５０の内部に電源ケーブル２０を収容する。次に、電源ケーブル２０のケーブルを切欠部６５０に合わせてセットし、把持部６２０を把持して、開閉蓋６００を取付ける方向に力を加えて、開閉蓋６００を開口部４０から挿入する。それにより、引掛け部６１０，６１１の爪６１０ａ，６１１ａが、被引掛け部４３，４４に引っ掛かり、係り止めされて、開閉蓋６００が取付けられる（閉塞する）。なお、電源ケーブル２０を排気ダクト１５０の内部から排出する場合は、開閉蓋６００を同様に開放し、電源ケーブル２０を排出した後、同様に閉塞する。
【００８７】
開閉蓋６００を閉塞する場合、図６（ｃ）に示すように、引掛け部６１０，６１１の爪６１０ａ，６１１ａが、被引掛け部４３，４４に引っ掛かり、係り止めされることで、開閉蓋６００は、筐体１０に固定される。同時に、押圧部６４０の先端６４１が、マイクロスイッチ３２３の可動軸３２３ｂの先端を押圧し、本体３２３ａ内部に移動量Ｃだけ押し込む。これにより、マイクロスイッチ３２３は、「ＯＦＦ」から「ＯＮ」に変化し、「ＯＮ」信号を出力する。開閉蓋６００が開放した場合、マイクロスイッチ３２３は、「ＯＮ」から「ＯＦＦ」に変化し、「ＯＦＦ」信号を出力する。
【００８８】
なお、開閉蓋６００は、閉塞することにより、排気ダクト１５０としての機能を果たす。詳細には、開閉蓋６００が閉塞し、開口部４０を塞ぐことにより、ランプ２１１から伝熱された熱を持った外気（排気）が、開口部４０から漏れることなく、排気ダクト１５０内部を流通し、排気部１７０からプロジェクタ１の外部に排気することができる。
【００８９】
また、開閉蓋６００の内面側に形成した突起部６３０により、電源ケーブル２０を排気ダクト１５０の内部に収容して、開閉蓋６００を閉塞した場合には、突起部６３０が、収容した電源ケーブル２０を押圧する。それにより、電源ケーブル２０は、排気ダクト１５０を構成する上ケース１１の隔壁１１ａ及び下ケース１２の隔壁１２ａと、突起部６３０とに挟まれ、排気ダクト１５０の内部でガタツキがなくなる。
【００９０】
また、開閉蓋６００の内面側に形成した突起部６３０が、被引掛け部４３，４４の排気ダクト１５０内部への張り出し量と同程度の量を突出させて形成されているため、開閉蓋６００の内面側周辺部の凹凸を極力無くすことで、排気ダクト１５０を流通する外気の乱流の発生を防止し、図６（ａ）に矢印（二点鎖線）で図示すように、整流となるようにしている。
【００９１】
上述した、第３実施形態によれば、第１実施形態での効果（１）、（２）、及び、第２実施形態での効果（１）、（２）が同様に得られる。また、第１実施形態から第３実施形態により、摺動自在な開閉蓋１００と、開閉自在な開閉蓋５００と、着脱自在な開閉蓋６００とを提供することが出来るため、プロジェクタ１の形状や排気ダクト１５０の構成などにより、適宜、開閉蓋の構造を選択することが可能となり、プロジェクタ１における開閉蓋の設計の自由度を向上できる。
【００９２】
なお、本発明は、上述した実施形態に限定されず、種々の変更や改良など加えることが可能である。変形例を以下に述べる。
【００９３】
（変形例１）前記実施形態において、電力操作制御部３１５は、開閉蓋１００，５００，６００が閉塞である場合に、映像を投写するための操作及び電力の供給を開始させるための制御を行い、開放である場合に、映像を投写するための操作及び電力の供給を停止させるための制御を行っている。このとき、プロジェクタ１に液晶パネルなどで構成される表示部を設けて、制御の内容を表示させても良い。これにより、ユーザに現在の状況を確認させることができ、適切な対処をさせることが可能になる。また、ＬＥＤ３２による点灯や点滅、または、プロジェクタ１の内部に設置されるスピーカ（図示省略）により報知することで、ユーザに現在の状況を知らせることでも良い。
【００９４】
（変形例２）前記実施形態において、開閉蓋５００に形成する突起部５３０、及び、開閉蓋６００に形成する突起部６３０は、電源ケーブル２０を押圧する働きと、排気を整流にする働きを併せ持っている。しかし、どちらか一方の働きを持たせることでも良い。
【００９５】
（変形例３）前記実施形態において、開閉蓋に切欠部１４０を形成して、開閉蓋を閉める場合に電源ケーブル２０を案内している。しかし、これに限らず、切欠部を筐体１０に形成しても良い。また、開閉蓋１００，５００，６００を筐体１０に固定するための引掛け部１２０，６１０，６１１や、係り止め部５２０などは、本実施形態に採用した構造以外に、様々な固定構造を採用することで良い。例えば、スライド機構を持たせたスライド部が、開閉蓋にスライドして開閉蓋を固定しても良いし、磁気を利用した固定などでも良い。
【００９６】
（変形例４）前記実施形態でのプロジェクタ１は、透過型液晶方式のプロジェクタである。しかし、これに限らず、ＤＬＰ（登録商標）（Digital Light Processing）方式、及び、反射型液晶方式であるＬＣＯＳ（Liquid Crystal On Silicon）方式などを採用したプロジェクタであっても良い。
【図面の簡単な説明】
【００９７】
【図１】本発明の第１実施形態に係るプロジェクタの概略斜視図であり、図１（ａ）は、プロジェクタの使用可能状態での概略斜視図であり、図１（ｂ）は、プロジェクタの未使用状態での概略斜視図である。
【図２】プロジェクタの概略平断面図であり、図２（ａ）は、使用可能状態での概略平断面図であり、図２（ｂ）は、未使用状態での概略平断面図であり、図２（ｃ）は、図２（ｂ）におけるＡ−Ａ断面図である。
【図３】プロジェクタの電気的構成を示すブロック図である。
【図４】プロジェクタに摺動自在に設置された開閉蓋を示す図であり、図４（ａ）は、開閉蓋が開放された状態を示す斜視図であり、図４（ｂ）は、開閉蓋が閉塞された状態を示す側面図である。
【図５】本発明の第２実施形態に係るプロジェクタに、回動自在に連結される部位を有し、開閉自在に設置された開閉蓋を示す断面図であり、図５（ａ）は、開閉蓋が閉塞された状態を示す図であり、図５（ｂ）は、開閉蓋が開放された状態を示す図であり、図５（ｃ）は、開閉蓋が閉塞された状態での蓋開閉検出部を示す断面図である。
【図６】本発明の第３実施形態に係るプロジェクタに、着脱自在に設置された開閉蓋を示す図であり、図６（ａ）は、開閉蓋が閉塞された状態を示す断面図であり、図６（ｂ）は、開閉蓋が開放された状態を示す斜視図であり、図６（ｃ）は、開閉蓋が閉塞された状態での蓋開閉検出部を示す断面図である。
【符号の説明】
【００９８】
１…プロジェクタ、１０…筐体、１１…上ケース、１１ａ…隔壁、１１ｂ…溝部、１２…下ケース、１２ａ…隔壁、１２ｂ…溝部、１２ｄ…被引掛け部、１３…前ケース、１５…開口部、１６〜１８…凹部、１９…開口部、２０…電源ケーブル、２１…プラグ、３０…操作部、３１…報音孔、３２…ＬＥＤ、３３…リモコン受光部、３４…吸気口、４０…開口部、４３，４４…被引掛け部、４５…受部、１００，５００，６００…開閉蓋、１１０ａ…摺動部、１２０，６１０，６１１…引掛け部、１３０…押圧部、１４０…切欠部、１４５…把持部、１５０…排気ダクト、１６０…冷却ファン、１７０…排気部、２００…光学エンジンユニット、２１０…光源、２１１…ランプ、２２０…光学変換部、２５０…液晶ライトバルブ、２８０…投写光学系、２８１…投写レンズ、３００…制御部、３１０…開閉判断部、３１５…電力操作制御部、３２０…蓋開閉検出部、３２１〜３２３…マイクロスイッチ、３３０…電源部、３４０…信号変換部、３４５…画像入力端子、３５０…画像処理部、３６０…液晶ライトバルブ駆動部、３７０…リモコン制御部、３８０…ランプ駆動部、３９０…ファン駆動部、４００…回路ブロック、５１０…回動部、５１１…回動軸、５２０…係り止め部、５２２…把持部、５３０…突起部、５４０…押圧部、６２０…把持部、６３０…突起部、６４０…押圧部、６５０…切欠部、７００…緩衝部材、８００…リモコン。
【図１】
2006195319.tif 000003
【図２】
2006195319.tif 000004
【図３】
2006195319.tif 000005
【図４】
2006195319.tif 000006
【図５】
2006195319.tif 000007
【図６】
2006195319.tif 000008